(57)【要約】【課題】表示装置における見返し板上の開口を覆う化粧板と見返し板との境界の継ぎ目を目立たなくして、化粧板が見返し板に同化した見栄えの良い意匠を形成することのできる表示装置を提供すること。【解決手段】第１の表示部１０の周囲を覆う見返し板２０と、見返し板２０の裏側で見返し板２０の開口２１と対応する位置に配置された第２の表示部３０と、見返し板２０の開口２１を塞ぐ化粧板４０とを備える表示装置１において、化粧板４０の周縁部の表面位置Ｓ１を、開口２１の周縁部の表面位置Ｓ２と面一にし、且つ、化粧板４０には、透明度を下げるスモーク材を用いる。【選択図】図２
2015102346.tif 000002
【特許請求の範囲】
【請求項１】
第１の表示部の周囲を覆って前記第１の表示部の周囲の意匠を形成すると共に、前記第１の表示部とは異なる表示部を配置するための開口を有した見返し板と、前記見返し板の裏側で前記開口と対応する位置に配置された第２の表示部と、を備える表示装置であって、
前記開口を塞ぐと共に前記第２の表示部の意匠を透過させる化粧板を備えると共に、前記化粧板の周縁部の表面位置を、前記開口の周縁部の表面位置と面一に設定し、
且つ、前記化粧板には、透明度を下げるスモーク材を用いることを特徴とする表示装置。
【請求項２】
前記化粧板の表面と前記見返し板の表面には、シボ加工を施していることを特徴とする請求項１に記載の表示装置。
【発明の詳細な説明】
【技術分野】
【０００１】
本発明は、例えば、車両に搭載される計器装置などに使用される表示装置に関する。
【背景技術】
【０００２】
下記特許文献１には、車両に搭載される表示装置として、第１の表示部（表示素子）の周囲を覆う見返し板に形成した開口の奥に、第２の表示部を装備するものが、開示されている。
【０００３】
図４及び図５は、特許文献１の表示装置と共通の構成を有した表示装置を示している。
この表示装置１００は、車両のコンビネーションメータとして使用されるもので、第１の表示部１１０の周囲を覆う見返し板１２０に、開口１２１が形成されている。そして、開口１２１の奥に、第２の表示部１３０が装備されている。
【０００４】
第１の表示部１１０は、例えば、車両の走行速度を表示する速度計などの装置である。また、第２の表示部１３０は、例えば、車両の各種の警告情報を表示する装置で、第２の表示部１３０の内底部には、警告用の意匠を照明する光源１３１が装備されている。
【０００５】
この表示装置１００の場合、見返し板１２０の開口１２１は、化粧板１４０によって塞がれる。開口１２１を塞ぐ化粧板１４０には、光源１３１によって照明された意匠を視認可能な透明又は半透明な板材が使用される。また、化粧板１４０は、図５に示すように、開口１２１の裏側の周縁部１２１ａで、第２の表示部１３０の前面に押さえつけられて固定されている。
【先行技術文献】
【特許文献】
【０００６】
【特許文献１】特開２００９−３２４４号公報
【発明の概要】
【発明が解決しようとする課題】
【０００７】
ところが、図５に示したように、化粧板１４０の取付構造が、開口１２１の裏側の周縁部１２１ａで第２の表示部１３０の前面に押さえつける構造となっていると、見返し板１２０と化粧板１４０との境界に段差Ｄが形成されてしまう。そのため、見返し板１２０と化粧板１４０との継ぎ目が目立ってしまい、見栄えの低下を招くという問題があった。
【０００８】
そこで、本発明の目的は、上記課題を解消することに係り、表示装置における見返し板上の開口を覆う化粧板と見返し板との境界の継ぎ目を目立たなくして、化粧板が見返し板に同化した見栄えの良い意匠を形成することのできる表示装置を提供することにある。
【課題を解決するための手段】
【０００９】
本発明の前述した目的は、下記の構成により達成される。
（１）  第１の表示部の周囲を覆って前記第１の表示部の周囲の意匠を形成すると共に、前記第１の表示部とは異なる表示部を配置するための開口を有した見返し板と、前記見返し板の裏側で前記開口と対応する位置に配置された第２の表示部と、を備える表示装置であって、
前記開口を塞ぐと共に前記第２の表示部の意匠を透過させる化粧板を備えると共に、前記化粧板の周縁部の表面位置を、前記開口の周縁部の表面位置と面一に設定し、
且つ、前記化粧板には、透明度を下げるスモーク材を用いることを特徴とする表示装置。
【００１０】
（２）  前記化粧板の表面と前記見返し板の表面には、シボ加工を施していることを特徴とする上記（１）に記載の表示装置。
【００１１】
上記（１）の構成によれば、見返し板の開口を塞ぐ化粧板の周縁部の表面位置は、見返し板の開口の周縁部の表面位置と面一になっているため、化粧板と見返し板との境界に段差は生じない。そのため、化粧板と見返し板との境界の継ぎ目を目立たなくすることができる。しかも、化粧板にはスモーク材を用いている。従って、化粧板が見返し板に同化した見栄えの良い意匠を形成することができる。
【００１２】
上記（２）の構成によれば、化粧板の表面と見返し板の表面には、シボ加工を施しているため、化粧板及び見返し板の双方が同様のつや消しの外観になって、化粧板の見栄えと見返し板の見栄えとを更に近似させることができる。
【００１３】
また、化粧板及び見返し板の双方がつや消しの外観となったことで、化粧板及び見返し板の双方に顔映りを防止することができる。
【発明の効果】
【００１４】
本発明による表示装置によれば、表示装置における見返し板上の開口を覆う化粧板と見返し板との境界の継ぎ目を目立たなくして、化粧板が見返し板に同化した見栄えの良い意匠を形成することができる。
【００１５】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は本発明に係る表示装置の一実施形態の要部の正面図である。
【図２】図２は図１のＢ−Ｂ断面図である。
【図３】図３は一実施形態の表示装置の斜視図である。
【図４】図４は従来の表示装置の要部の正面図である。
【図５】図５は図４のＡ−Ａ断面図である。
【発明を実施するための形態】
【００１７】
以下、本発明に係る表示装置の好適な実施形態について、図面を参照して詳細に説明する。
【００１８】
図１〜図３は本発明に係る表示装置の一実施形態を示したもので、図１は本発明に係る表示装置の一実施形態の要部の正面図、図２は図１のＢ−Ｂ断面図、図３は一実施形態の表示装置の斜視図である。
【００１９】
この一実施形態の表示装置１は、車両のコンビネーションメータとして使用されるもので、第１の表示部１０と、この第１の表示部１０の周囲を覆う見返し板２０と、見返し板２０の裏側に配置された第２の表示部３０と、前記見返し板２０の前記第２の表示部３０と対応する領域に形成された開口２１を塞ぐ化粧板４０と、装置ケース５０と、を備えている。
【００２０】
第１の表示部１０は、例えば、車両の走行速度を表示する速度計などの計器を表示する装置である。この第１の表示部１０には、例えば、速度計などの計器としての意匠を付与した文字板や、多種の情報を表示するための液晶ディスプレイパネルなどが配置される。
【００２１】
見返し板２０は、第１の表示部１０の周囲の領域を覆って、第１の表示部１０の周囲の意匠を形成している。本実施形態の見返し板２０は、第１の表示部１０とは異なる表示部である第２の表示部３０を配置するための開口２１を有している。この開口２１は、第２の表示部３０が情報を表示する縦長の形状（図１では、上下方向に長い形状）に対応した縦長の開口になっている。
【００２２】
本実施形態の場合、見返し板２０は、不透明な板材で形成されている。また、見返し板２０の表面は、顔映りを防止するために、艶消しとなるシボ加工が施されている。
【００２３】
第２の表示部３０は、図２に示すように、第１の表示部１０の側方に隣接する領域で、見返し板２０の裏側で開口２１と対応する位置（領域）に配置されている。
【００２４】
この第２の表示部３０は、図２に示すように、車両の各種の警告情報を表示する装置で、警告用の意匠を施した意匠板３１と、この意匠板３１の裏側に配置されて前記意匠板３１上の各警告情報毎に独立した区画室を形成する表示部筐体３２と、この表示部筐体３２の各区画室の底部に配置されて意匠板３１上の警告意匠を照明する光源３３と、を備えている。
【００２５】
警告意匠を照明する光源３３は、第１の表示部１０及び第２の表示部３０の裏側に配置される制御回路基板６０に搭載されている。この制御回路基板６０には、第１の表示部１０に使用されている各種の電機部品等の動作を制御する制御部品も搭載されている。
【００２６】
化粧板４０は、見返し板２０の開口２１を塞いでいる。この化粧板４０は、図３に示すように、その周縁部の表面位置Ｓ１が開口２１の周縁部の表面位置Ｓ２と面一に連なるように、各部の寸法が設定されている。また、本実施形態の化粧板４０は、第２の表示部３０の照明された意匠を透過させる半透明な板材である。
【００２７】
本実施形態の場合、化粧板４０には、透明度を下げるスモーク材を使用することで、見栄えを、見返し板２０の見栄えに近付けている。化粧板４０となるスモーク材は、例えば、樹脂板自体の着色、あるいは透明な樹脂板の片面にスモークフィルムを貼付することで形成される。
【００２８】
本実施形態の場合、化粧板４０の表面には、見返し板２０の表面に施したシボ加工と同様のシボ加工が施されて、化粧板４０の表面の見栄えを、見返し板２０の見栄えに近付けている。
【００２９】
装置ケース５０は、当該表示装置１の背面側を覆う筐体で、上記の第１の表示部１０、見返し板２０、第２の表示部３０、制御回路基板６０などを、所定の位置関係に支持している。
【００３０】
以上に説明した一実施形態の表示装置１の場合、見返し板２０の開口２１を塞ぐ化粧板４０の周縁部の表面位置Ｓ１は、見返し板２０の開口２１の周縁部の表面位置Ｓ２と面一になっているため、化粧板４０と見返し板２０との境界に段差は生じない。そのため、化粧板４０と見返し板２０との境界の継ぎ目を目立たなくすることができる。しかも、化粧板４０にはスモーク材を使用して，化粧板４０の見栄えを見返し板２０の表面の見栄えに近付けている。従って、化粧板４０が見返し板２０に同化した見栄えの良い意匠を形成することができる。
【００３１】
また、一実施形態の表示装置１の場合、化粧板４０の表面と見返し板２０の表面には、同様のシボ加工を施しているため、化粧板４０及び見返し板２０の双方が同様のつや消しの外観になって、化粧板４０の見栄えと見返し板２０の見栄えとを更に近似させることができる。
【００３２】
また、化粧板４０及び見返し板２０の双方がつや消しの外観となったことで、化粧板４０及び見返し板２０の双方に顔映りを防止することができる。
【００３３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３４】
ここで、上述した本発明に係る表示装置の実施形態の特徴をそれぞれ以下［１］〜［２］に簡潔に纏めて列記する。
【００３５】
［１］  第１の表示部（１０）の周囲を覆って前記第１の表示部（１０）の周囲の意匠を形成すると共に、前記第１の表示部（１０）とは異なる表示部を配置するための開口（２１）を有した見返し板（２０）と、前記見返し板（２０）の裏側で前記開口（２１）と対応する位置に配置された第２の表示部（３０）と、を備える表示装置（１）であって、
前記開口（２１）を塞ぐと共に前記第２の表示部（３０）の意匠を透過させる化粧板（４０）を備えると共に、前記化粧板（４０）の周縁部の表面位置（Ｓ１）を、前記開口（２１）の周縁部の表面位置（Ｓ２）と面一に設定し、
且つ、前記化粧板（４０）には、透明度を下げるスモーク材を用いることを特徴とする表示装置（１）。
【００３６】
［２］  前記化粧板（４０）の表面と前記見返し板（２０）の表面には、シボ加工を施していることを特徴とする上記［１］に記載の表示装置（１）。
【符号の説明】
【００３７】
１  表示装置
１０  第１の表示部
２０  見返し板
２１  開口
３０  第２の表示部
４０  化粧板
Ｓ１，Ｓ２  表面位置
【図１】
2015102346.tif 000003
【図２】
2015102346.tif 000004
【図３】
2015102346.tif 000005
【図４】
2015102346.tif 000006
【図５】
2015102346.tif 000007